(57)【要約】  本発明は複合スライドデスクシステムに関するものであり、少なくとも一つのモニターを支持するモニターサポートデスクユニットを含み、前記モニターサポートデスクユニットは、ユニットベースと、前記ユニットベースに連結されるカラムと、前記カラムの上部に配置されるデスクプレートと、前記デスクプレート上で前記モニターを支持するモニター支持部と、前記デスクプレートに連結され、前記デスクプレートを前後進または回転させるプレート駆動部とを含む。
2019535344.tif 000002
【特許請求の範囲】
【請求項１】
少なくとも一つのモニターを支持するモニターサポートデスクユニットを含み、
前記モニターサポートデスクユニットは、
ユニットベースと、
前記ユニットベースに連結されるカラムと、
前記カラムの上部に配置されるデスクプレートと、
前記デスクプレート上で前記モニターを支持するモニター支持部と、
前記デスクプレートに連結され、前記デスクプレートを前後進または回転させるプレート駆動部と、を含むことを特徴とする複合スライドデスクシステム。
【請求項２】
前記プレート駆動部は、
前記デスクプレートを支持するレールに対して前記デスクプレートを前後進させる前後進アクチュエータと、
前記デスクプレートを回転させる回転アクチュエータと、を含み、
前記デスクプレートの前面には切り取り部が形成され、
前記デスクプレートの上面には滑り止め部が設けられることを特徴とする請求項１に記載の複合スライドデスクシステム。
【請求項３】
前記モニターサポートデスクユニットは、
前記プレート駆動部が搭載される駆動部搭載部と、
前記デスクプレートの後方に配置されるスピーカーユニットと、をさらに含むことを特徴とする請求項１に記載の複合スライドデスクシステム。
【請求項４】
前記モニターサポートデスクユニットは、
前記デスクプレートの一側に設けられ、前記デスクプレートを前後進または回転させるための信号を入力するスイッチと、
前記デスクプレートの他側に設けられ、イヤホンジャック、ＵＳＢ充電ジャックまたはデータジャックの中の少なくともいずれか一つを含むスイッチパネルとをさらに含むことを特徴とする請求項１に記載の複合スライドデスクシステム。
【請求項５】
前記モニターサポートデスクユニットの一側に配置され、横になった姿勢を含めて、人体の腰に理想的な状態の姿勢で業務を行うことができるように後ろに倒される椅子ユニットをさらに含むことを特徴とする請求項１に記載の複合スライドデスクシステム。
【請求項６】
前記椅子ユニットを回転可能に支持する回転円板をさらに含むことを特徴とする請求項５に記載の複合スライドデスクシステム。
【請求項７】
前記椅子ユニットのサイドに配置されるサイドテーブルユニットをさらに含むことを特徴とする請求項５に記載の複合スライドデスクシステム。
【発明の詳細な説明】
【技術分野】
【０００１】
本発明は複合スライドデスクシステムに関するものであり、より詳しくは、システムの構造がコンパクトでありながらも単純であるので、製造または購入費用を減少させることができて、普及率を向上させることができ、何よりも横になった姿勢で業務を行うなど人体の腰に最も理想的な状態の姿勢で業務を行うことができて、使用上の利便性が従来よりも大幅に向上されることができる複合スライドデスクシステムに関するものである。
【背景技術】
【０００２】
従来と異なって、最近コンピュータを利用して個人事務や会社の業務をしたり、インターネットカフェなどでゲームを楽しんだりする。
【０００３】
このような点を考慮して、現代社会においてコンピュータは人と最も密接な電子機器として位置づけられていると見ることができる。
【０００４】
そこで、家具会社の場合も、コンピュータが搭載されることができる様々な形態のデスク、特にデスクシステムに対する研究開発が継続的に行われており、現在様々な製品が発売されている実情である。
【０００５】
しかしながら、現在市場で発売されているコンピュータ専用デスクや、それに相当するシステム家具、或いはデスクシステムの場合、実質的にシステムの構造が複雑であるため、製造または購入費用が高くなるしかなく、普及に制限的であるしかない。
【０００６】
特に、現在市場で発売されているコンピュータ専用デスクや、それに相当するシステム家具、或いはデスクシステムの場合、横になった姿勢で仕事をするなど、人体の腰に最も理想的な状態の姿勢で業務を行うことが難しい。従って、長時間座って仕事をする職業群の人々に効果的でないという点を考慮したとき、従来のシステムと差別化された新概念の複合スライドデスクシステムの必要性が台頭される。
【発明の概要】
【発明が解決しようとする課題】
【０００７】
本発明の目的は、システムの構造がコンパクトでありながら単純であるので、製造または購入費用を減少させることができて、普及率を向上させることができ、何よりも横になった姿勢で仕事をするなど、人体の腰に最も理想的な状態の姿勢で業務を行うことができて、使用上の利便性が従来よりも大幅に向上されることができる複合スライドデスクシステムを提供することである。
【課題を解決するための手段】
【０００８】
前記目的は、少なくとも一つのモニターを支持するモニターサポートデスクユニットを含み、前記モニターサポートデスクユニットは、ユニットベースと、前記ユニットベースに連結されるカラムと、前記カラムの上部に配置されるデスクプレートと、前記デスクプレート上で前記モニターを支持するモニター支持部と、前記デスクプレートに連結され、前記デスクプレートを前後進または回転させるプレート駆動部とを含むことを特徴とする複合スライドデスクシステムによって達成される。
【０００９】
前記プレート駆動部は、前記デスクプレートを支持するレールに対して前記デスクプレートを前後進させる前後進アクチュエータと、前記デスクプレートを回転させる回転アクチュエータとを含み、前記デスクプレートの前面には切り取り部が形成され、前記デスクプレートの上面には滑り止め部が設けられることができる。
【００１０】
前記モニターサポートデスクユニットは、前記プレート駆動部が搭載される駆動部搭載部と、前記デスクプレートの後方に配置されるスピーカーユニットとをさらに含むことができる。
【００１１】
前記モニターサポートデスクユニットは、前記デスクプレートの一側に設けられ、前記デスクプレートを前後進または回転させるための信号を入力するスイッチと、前記デスクプレートの他側に設けられ、イヤホンジャック、ＵＳＢ充電ジャックまたはデータジャックの中の少なくともいずれか一つを含むスイッチパネルとをさらに含むことができる。
【００１２】
前記モニターサポートデスクユニットの一側に配置され、横になった姿勢を含めて、人体の腰に理想的な状態の姿勢で業務を行うことができるように後ろに倒される椅子ユニットをさらに含むことができる。
【００１３】
前記椅子ユニットを回転可能に支持する回転円盤をさらに含むことができる。
【００１４】
前記椅子ユニットのサイドに配置されるサイドテーブルユニットをさらに含むことができる。
【発明の効果】
【００１５】
本発明によれば、システムの構造がコンパクトでありながらも単純であるので、製造または購入費用を減少させることができて、普及率を向上させることができ、何よりも横になった姿勢で仕事をするなど、人体の腰に最も理想的な状態の姿勢で業務を行うことができて、使用上の利便性が従来よりも大幅に向上されることができるという効果を奏する。
【図面の簡単な説明】
【００１６】
【図１】本発明の第１実施例に係る複合スライドデスクシステムの斜視図である。
【図２】図１の他の角度から示した図である。
【図３】モニターサポートデスクユニットの斜視図である。
【図４】図３の一部切り取り斜視図である。
【図５】図３の一部切り取り斜視図である。
【図６】本発明の第２実施例に係る複合スライドデスクシステムの斜視図である。
【図７】図６を他の角度から示した図である。
【図８】図６を他の角度から示した図である。
【図９】図６の左側面である。
【図１０】図６の右側面図である。
【図１１】モニターサポートデスクユニットの拡大斜視図である。
【図１２】図１１の背面斜視図である。
【図１３】図１１の側面図である。
【図１４】本発明の第３実施例に係る複合スライドデスクシステムの図である。
【図１５】本発明の第４実施例に係る複合スライドデスクシステムの図である。
【図１６】本発明の第５実施例に係る複合スライドデスクシステムのモニターサポートデスクユニットの図である。
【図１７】本発明の第６実施例に係る複合スライドデスクシステムの図である。
【図１８】図１７の分解図である。
【図１９】本発明の第７実施例に係る複合スライドデスクシステムの図である。
【図２０】本発明の第８実施例に係る複合スライドデスクシステムにおける椅子ユニットとユニットサポートベースの配置図である。
【図２１】図２０に示したユニットサポートベースの平面図である。
【図２２】本発明の第９実施例に係る複合スライドデスクシステムの斜視図である。
【発明を実施するための形態】
【００１７】
本発明の利点及び特徴、そしてそれらを達するための方法は添付される図面と共に詳細に後述される実施例を参照することにより明確になる。
【００１８】
しかし、本発明は、以下に開示される実施例に限定されるのではなく、互いに異なる多様な形態で具現されることができる。
【００１９】
本明細書において、本実施例は本発明の開示が完全になるようにし、本発明が属する技術分野において通常の知識を有する者に発明の範疇を完全に知らせるために提供されるものである。そして、本発明は請求項の範疇のみによって定義される。
【００２０】
従って、いくつかの実施例において、周知の構成要素、動作及び技術は、本発明が曖昧に解釈されることを避けるために具体的に説明されない。
【００２１】
明細書全体にかけて同じ参照符号は同じ構成要素を指す。そして本明細書で用いられた（言及された）用語は、実施例を説明するためのものであり、本発明を制限するものではない。
【００２２】
本明細書において、単数形は、特に言及しない限り複数形も含む。また、「含む（または備える）」と記載されている構成要素及び動作（作用）は、一つ以上の他の構成要素及び動作の存在または追加を排除しない。
【００２３】
他に定義がない場合は、本明細書で用いられる全ての用語（技術及び科学的用語を含む）は、本発明が属する技術分野において通常の知識を有する者に共通して理解することができる意味で使用されることができる。
【００２４】
また、一般的に用いられる事前に定義されている用語は定義されていない限り理想的または過度に解釈されてはならない。
【００２５】
以下、添付図面を参照して、本発明の好ましい実施例について説明する。
【００２６】
図１は本発明の第１実施例に係る複合スライドデスクシステムの斜視図であり、図２は図１を他の角度から示す図であり、図３はモニターサポートデスクユニットの斜視図であり、そして図４及び図５はそれぞれ図３の一部切り取り斜視図である。
【００２７】
これらの図面を参照すれば、本実施例に係る複合スライドデスクシステム１は、システムの構造がコンパクトでありながら単純であるので、製造または購入費用を減少させることができて、普及率を向上させることができ、何よりも横になった姿勢で業務を行うなど、人体の腰に最も理想的な状態の姿勢で業務を行うことができて、使用上の利便性が従来よりも大幅に向上されることができようにしたものである。
【００２８】
それにより、頚椎椎間板ヘルニアを予防することができ、さらに、長時間コンピュータの前に座って仕事をしたり、ゲームを楽しむ職業の人々に効果的である。そこで、本実施例に係る複合スライドデスクシステム１は、インターネットカフェ、ゲームプレイス、多目的複合空間に設置可能であり、個人業務、会社業務、設計／デザイン業務用など様々な目的のために用いられることができる。
【００２９】
このような効果を提供することができる複合スライドデスクシステム１は、図１及び図２に示すように、椅子ユニット１０は、サイドテーブルユニット２０、及びモニターサポートデスクユニット３０を含む。
【００３０】
本実施例のように、椅子ユニット１０は、サイドテーブルユニット２０、及びモニターサポートデスクユニット３０を備え、複合スライドデスクシステム１を構築する場合は、システムの構造がコンパクトでありながら単純であるので、製造または購入費用を減少させることができて、普及率を向上させることができる。しかし、この中でサイドテーブルユニット２０などは構成上除外されることもある。
【００３１】
椅子ユニット１０は、モニターサポートデスクユニット３０の一側に配置される。本実施例では椅子ユニット１０は横になった姿勢を含めて、人体の腰に理想的な状態の姿勢で業務を行うことができるように後ろに倒された構造を有する。
【００３２】
これらの椅子ユニット１０の下部には回転円板１１が設けられる。回転円板１１により椅子ユニット１０は回転することができる。それにより、モニターサポートデスクユニット３０を向けることもでき、サイドテーブルユニット２０を向けることもできる。従って、使用上の利便性が大幅に向上されることができる。
【００３３】
サイドテーブルユニット２０は椅子ユニット１０のサイドに配置される。モニターＭを支持するモニターサポートデスクユニット３０とは異なって、サイドテーブルユニット２０は、筆記をする場所であってもよく、簡単な物品、例えば携帯電話、カップなどを置く場所としても活用することができる。
【００３４】
サイドテーブルユニット２０は移動が便利な構造を有する。従って、サイドテーブルユニット２０の下部にホイールが備えられることができる。
【００３５】
一方、モニターサポートデスクユニット３０は、モニターＭを支持する役割を果たす。図面には一台のモニターＭが開示されているが、デュアルモニターであってもよい。
【００３６】
これらのモニターサポートデスクユニット３０は、図３〜図５に詳細に示すように、ユニットベース３１と、ユニットベース３１に連結されるカラム３２と、カラム３２の上部に配置されるデスクプレート３４と、デスクプレート３４の上でモニターＭを支持するモニター支持部４０と、デスクプレート３４に連結され、デスクプレート３４を前後進または回転させるプレート駆動部５０とを含むことができる。
【００３７】
デスクプレート３４は、キーボードやマウスなどを支持する部分である。便宜のためにデスクプレート３４の前面には切り取り部３３が形成されることができる。
【００３８】
モニター支持部４０はモニターＭを支持する役割を果たすが、単純な支持方式のほかに、モニターＭが回転可能に支持することができる。このような構造は次の実施例で記述する。
【００３９】
プレート駆動部５０は、デスクプレート３４の下部にボックス形態で設けられる駆動部搭載部６０に搭載されることができる。図４には、便宜のために、駆動部搭載部６０が開放されているが、駆動部搭載部６０は、壁体によって塞がれた構造を有する。その故、外部では見えない。
【００４０】
デスクプレート３４の後方に配置されるスピーカーユニット７０が設けられることができる。従って、別途のスピーカーを連結することなく、完璧な一つのコンピュータシステムを構築することができる。
【００４１】
図示しなかったが、モニターサポートデスクユニット３０はスイッチ、及びスイッチパネルをさらに含むことができる。スイッチは、デスクプレート３４の一側、特に前端部の一側に設けられ、デスクプレート３４を前後進または回転させるための信号を入力する役割を果たす。前後進または回転動作のためにスイッチは区別されることができる。そして、スイッチパネルは、デスクプレート３４の他側に設けられ、イヤホンジャック、ＵＳＢ充電ジャックまたはデータジャックの中の少なくともいずれか一つを含むことができる。このようなスイッチパネルが備えられる場合、使用上の利便性が増大されることができる。特に、スイッチパネルをデスクプレート３４に直結させる場合、デスクプレート３４の移動時にスイッチパネルが一緒に移動することができて、使用上の利便性を大幅に向上させることができる。
【００４２】
一方、プレート駆動部５０は、図５に示すように、デスクプレート３４を支持するレール５１に対してデスクプレート３４を前後進させる（Ｌ）前後進アクチュエータ５２と、デスクプレート３４を回転させる（Ｒ）回転アクチュエータ５３とを含む。前後進アクチュエータ５２と回転アクチュエータ５３は何れも電動モーター式であるが、別の方法として空圧式、または油圧シリンダーであってもよい。
【００４３】
回転アクチュエータ５３の動作によりデスクプレート３４が図５のＲ方向に回転する場合、デスクプレート３４上のキーボードやマウスなどが落ちる虞があるので、これを阻止するために、デスクプレート３４の上面には滑り止め部（図示しない）が設けられることができる。滑り止め部は摩擦力に優れた特殊素材であってもよく、磁気方式であってもよい。
【００４４】
以上で説明したような構造と作用を有する本実施例によれば、システムの構造がコンパクトでありながら単純であるので、製造または購入費用を減少させることができて、普及率を向上させることができ、何よりも横になった姿勢で仕事をするなど、人体の腰に最も理想的な状態の姿勢で業務を行うことができて、使用上の利便性が従来よりも大幅に向上されることができる。
【００４５】
図６は本発明の第２実施例に係る複合スライドデスクシステムの斜視図であり、図７及び図８はそれぞれ図６を他の角度から示す図面であり、図９は図６の左側面であり、図１０は図６の右側面図であり、図１１はモニターサポートデスクユニットの拡大斜視図であり、図１２は図１１の背面斜視図であり、そして、図１３は図１１の側面図である。
【００４６】
これらの図を参照すれば、本実施例に係る複合スライドデスクシステム１００も、横になった姿勢を含めて、人体の腰に理想的な状態の姿勢で業務を行うことができるように後ろに倒される椅子ユニット１１０と、椅子ユニット１１０のサイドに配置されるサイドテーブルユニット１２０と、椅子ユニット１１０の前方に配置されて、モニターＭを支持するが、椅子ユニット１１０に対応する位置にモニターＭの位置が変更されるように移動可能なモニターサポートデスクユニット１３０と、を含むことができる。
【００４７】
図６〜図８に示した椅子ユニット１１０、サイドテーブルユニット１２０、及びモニターサポートデスクユニット１３０の配置構造が最適化された構造であることができる。
【００４８】
各構成を見ると、まず椅子ユニット１１０は、通常の椅子であってもよいが、特にクッションを内在したリクライニング形態のソファタイプの椅子であってもよい。この場合、快適に長時間座っていることができる。
【００４９】
このような椅子ユニット１１０は、地面に支持される支持部１１１と、支持部１１１の上部をなし、座る場所としての座部１１２と、座部１１２の両側に配置される一対のアームレスト部１１３と、使用者の背中を支える背もたれ部１１４と、使用者の頭を支えるヘッドレスト部１１５とを含むことができる。特に、座部１１２の場合には、一定のクッション性を有することが好ましい。
【００５０】
図６〜図８の場合、図面の便宜のために椅子ユニット１１０が立てられた状態で示されたが、実質的に椅子ユニット１１０は、図２２のように自在に後ろに倒される構造を有することが好ましい。このような場合、使用者は椅子ユニット１１０に座って横になった状態で業務（学習を含む）を行うことができる。このように横になった姿勢で仕事をするなど、人体の腰に最も理想的な状態の姿勢で業務を行うことができて、使用上の利便性が従来よりも大幅に向上されることができる。
【００５１】
次に、サイドテーブルユニット１２０は椅子ユニット１１０のサイドに配置されるテーブルである。
【００５２】
これらのサイドテーブルユニット１２０は、サイドテーブルプレート１２１と、サイドテーブルプレート１２１を支持し、一側が曲げされる複数の折曲型ブリッジ１２２とを含むことができる。
【００５３】
サイドテーブルプレート１２１は、書類作業をしたり、書類やその他の文房具を置くときに活用する部分である。
【００５４】
そして、複数の折曲型ブリッジ１２２はサイドテーブルプレート１２１を支持する。折曲型ブリッジ１２２の端部が折曲された形態を有するので、サイドテーブルプレート１２１が使用者に近接しても折曲型ブリッジ１２２の干渉現象を防ぐことができる。
【００５５】
最後に、モニターサポートデスクユニット１３０は、椅子ユニット１１０の前方に配置される構造物であって、デュアルモニターＭを支持する。
【００５６】
本実施例の場合、デュアルモニターＭが適用されることで図示して説明したが、モニターＭは、１台もしくは３台以上であってもよい。従って、モニターＭの数に本発明の権利範囲が限定されない。
【００５７】
モニターサポートデスクユニット１３０は、ユニットベース１３１、カラム１３２、デスクプレート１３４、モニター支持部１４０を含むことができる。特に、モニターサポートデスクユニット１３０は、図２２のように椅子ユニット１１０が後ろに倒されて、使用者が横になった場合、横になった使用者の位置に合わせてデュアルモニターＭが配置されることができるようにデュアルモニターＭを移動可能に支持する。
【００５８】
ユニットベース１３１は、モニターサポートデスクユニット１３０の下部をなし、カラム１３２、デスクプレート１３４、及びモニター支持部１４０を地面に安定的に支持する。
【００５９】
カラム１３２は、ユニットベース１３１の上部一側にアーク状に配置される部分である。カラム１３２によりデュアルモニターＭが使用者側に近接することができるという利点がある。
【００６０】
デスクプレート１３４は、カラム１３２に連結される部分であって、サイドテーブルユニット１２０のサイドテーブルプレート１２１と同様に、書類作業をしたり、書類やその他の文房具を置く時に利用することもでき、或いはキーボードなどを置く場所として活用することもできる。特に、キーボードが搭載された場合には、デスクプレート１３４は前進して横になった使用者の前方に位置することができる。それによって、横になった状態でも、キーボード作業が十分可能になる。
【００６１】
デスクプレート１３４には切り取り部１３３が形成される。このような切り取り部１３３は、重量を減少するための部分であってもよく、キーボードやマウスなどのラインが配置される場所であってもよい。
【００６２】
図１３の矢印のように、デスクプレート１３４が前後進できるようにデスクプレート１３４にはプレート駆動部１３５が連結される。即ち、プレート駆動部１３５は、カラム１３２とデスクプレート１３４に連結され、カラム１３２に対してデスクプレート１３４を前後進移動させる役割を果たす。
【００６３】
プレート駆動部１３５は、アンテナ構造のような伸縮バー構造をなすことができる。しかし、プレート駆動部１３５は、ＬＭガイドで具現されることもでき、場合によっては、モータとボールねじ、スライドレール構造を組み合わせた電動構造で具現されることもできる。
【００６４】
モニター支持部１４０は、実質的にデュアルモニターＭを支持する役割を果たす。即ち、モニター支持部１４０は、その一側がカラム１３２に連結され、他側はデュアルモニターＭを支持する。
【００６５】
これらのモニターサポートデスクユニット１３０は、プレート駆動部１３５を挟んでその両側に配置され、カラム１３２の露出長さが調節可能な一対の長さ調節台１４１と、一対の長さ調節台１４１に連結され、デュアルモニターＭを後方で支持する後方支持台１４２と、後方支持台１４２の両端部に連結され、デュアルモニターＭの背面に固定される一対のモニターコネクタ１４３とを含むことができる。
【００６６】
特に、本実施例に適用されるモニターサポートデスクユニット１３０は、棒状構造をなしているので、その構造が簡単でありながら効果が優れている。
【００６７】
以上説明したような本実施例に係る複合スライドデスクシステムは、前述したような構造的効率性によって、頚椎椎間板ヘルニアの発病を防止することができる。従って、長時間コンピュータの前に座って仕事をする職業群の人々に非常に効果的である。
【００６８】
また、前述したように、効果が高いながらも非常に単純な構造を有するので、コストの削減による競争力を確保することができる。
【００６９】
そして、構造が非常にコンパクトであるので、空間を少なく占める。従って、限られたスペースを効率的に使用する必要がするインターネットカフェ、ゲームセンター、多目的複合空間などに設置することが容易である。
【００７０】
もちろん、個人業務、会社業務、設計、デザイン業務用のため、家庭や会社に設置することもできる。
【００７１】
本実施例に適用しても、システムの構造がコンパクトでありながら単純であるので、製造または購入費用を減少させることができて、普及率を向上させることができ、何よりも横になった姿勢で仕事をするなど、人体の腰に最も理想的な状態の姿勢で業務を行うことができて、使用上の利便性が従来よりも大幅に向上されることができる。
【００７２】
図１４は、本発明の第３実施例に係る複合スライドデスクシステムの図面である。
【００７３】
この図面を参照すれば、本実施例に係る複合スライドデスクシステム２００も、最適な組み合わせで配置される椅子ユニット１１０、サイドテーブルユニット１２０、モニターサポートデスクユニット１３０を含むことがことができる。
【００７４】
このような構造で、本実施例に係る複合スライドデスクシステム２００にはユニットサポートベース２５０がさらに備えられることができる。
【００７５】
ユニットサポートベース２５０上に椅子ユニット１１０、サイドテーブルユニット１２０及びモニターサポートデスクユニット１３０が一つずつ位置ごとに搭載されて固定されることができ、このような構造を有する場合、ユニットサポートベース２５０の位置移動により一セットの椅子ユニット１１０、サイドテーブルユニット１２０、モニターサポートデスクユニット１３０の位置を移動させることができて、施工の利便性を図ることができる。
【００７６】
本実施例に適用しても、システムの構造がコンパクトでありながら単純であるので、製造または購入費用を減少させることができて、普及率を向上させることができ、何よりも横になった姿勢で仕事をするなど、人体の腰に最も理想的な状態の姿勢で業務を行うことができて、使用上の利便性が従来よりも大幅に向上されることができる。
【００７７】
図１５は本発明の第４実施例に係る複合スライドデスクシステムの図面である。
【００７８】
この図面を参照すれば、本実施例に係る複合スライドデスクシステム３００も、最適な組み合わせで配置される椅子ユニット１１０、サイドテーブルユニット１２０、モニターサポートデスクユニット１３０を含むことがことができる。
【００７９】
そして、椅子ユニット１１０、サイドテーブルユニット１２０、モニターサポートデスクユニット１３０は、ユニットサポートベース２５０上の最適な位置に搭載される。
【００８０】
このような構造でユニットサポートベース２５０の一側には、サイドテーブルユニット１２０の前後進位置をガイドするテーブルガイドモジュール３６０が設けられる。テーブルガイドモジュール３６０は、サイドテーブルユニット１２０の折曲型ブリッジ１２２に一つずつ配置されることができる。
【００８１】
これらのテーブルガイドモジュール３６０は、折曲型ブリッジ１２２が移動されるガイド溝３６２が形成されるモジュールボディ３６１と、ガイド溝３６２の内側壁に形成され、折曲型ブリッジ１２２が差し込まれて配置されるブリッジホール３６３を含むことができる。
【００８２】
このようなテーブルガイドモジュール３６０がユニットサポートベース２５０上に設けられる場合、サイドテーブルユニット１２０の折曲型ブリッジ１２２を安定的に支持することができることはもちろん、サイドテーブルユニット１２０の折曲型ブリッジ１２２を安定的に前後進させることができるという効果を奏する。
【００８３】
本実施例に適用しても、システムの構造がコンパクトでありながら単純であるので、製造または購入費用を減少させることができて、普及率を向上させることができ、何よりも横になった姿勢で仕事をするなど、人体の腰に最も理想的な状態の姿勢で業務を行うことができて、使用上の利便性が従来よりも大幅に向上されることができる。
【００８４】
図１６は、本発明の第５実施例に係る複合スライドデスクシステムのモニターサポートデスクユニットの図面である。
【００８５】
この図面を参照すれば、本実施例に係る複合スライドデスクシステムに適用可能なモニターサポートデスクユニット４３０も、ユニットベース１３１は、カラム１３２、デスクプレート１３４、モニター支持１４０を含むことができる。
【００８６】
このような構造でユニットベース１３１上にカラム１３２と連結されてカラム１３２を前後進移動させるカラム前後進移動部４３８が設けられる。カラム前後進移動部４３８は、例えば、ＬＭガイドなどに適用することができ、これらのカラムの前後進移動部４３８が適用される場合、デュアルモニターＭを近くでも遠くでも見ることができて、使用上の利便性が増大されることができる。
【００８７】
本実施例に適用しても、システムの構造がコンパクトでありながら単純であるので、製造または購入費用を減少させることができて、普及率を向上させることができ、何よりも横になった姿勢で仕事をするなど、人体の腰に最も理想的な状態の姿勢で業務を行うことができて、使用上の利便性が従来よりも大幅に向上されることができる。
【００８８】
図１７は本発明の第６実施例に係る複合スライドデスクシステムの図面であり、図１８は図１７の分解図である。
【００８９】
これらの図を参照すれば、本実施例に係る複合スライドデスクシステム５００も、最適な組み合わせで配置される椅子ユニット１１０、サイドテーブルユニット１２０、モニターサポートデスクユニット１３０を含むことがことができる。
【００９０】
そして、椅子ユニット１１０、サイドテーブルユニット１２０、モニターサポートデスクユニット１３０は、ユニットサポートベース５５０上の最適な位置に搭載される。
【００９１】
このような構造で、ユニットサポートベース５５０には、一側に凹凸式突出部５５１が設けられ、反対側に凹凸式突出部５５１が嵌合される凹凸式溝部５５２が形成される。
【００９２】
本実施例のように、ユニットサポートベース５５０上に凹凸式突出部５５１と凹凸式溝部５５２が形成されることにより、これらの施工作業が便利になるとともにきれいに仕上げることができるという利点がある。
【００９３】
本実施例に適用しても、システムの構造がコンパクトでありながら単純であるので、製造または購入費用を減少させることができて、普及率を向上させることができ、何よりも横になった姿勢で仕事をするなど、人体の腰に最も理想的な状態の姿勢で業務を行うことができて、使用上の利便性が従来よりも大幅に向上されることができる。
【００９４】
図１９は本発明の第７実施例に係る複合スライドデスクシステムの図である。
【００９５】
これらの図を参照すれば、本実施例に係る複合スライドデスクシステム５００も、最適な組み合わせで配置される椅子ユニット１１０、サイドテーブルユニット１２０、及びモニターサポートデスクユニット１３０を含むことがことができる。
【００９６】
そして、椅子ユニット１１０、サイドテーブルユニット１２０、及びモニターサポートデスクユニット１３０はユニットサポートベース６５０上の最適な位置に搭載される。
【００９７】
また、ユニットサポートベース６５０には、前述の実施例のように一側に凹凸式突出部６５１が設けられ、反対側に凹凸式突出部６５１が嵌合される凹凸式溝部６５２が形成される。
【００９８】
このような構造で凹凸式突出部６５１と凹凸式溝部６５２の端部には磁石６５１ａ、６５２ａがそれぞれ設けられる。
【００９９】
本実施例のように、凹凸式突出部６５１と凹凸式溝部６５２に磁石６５１ａ、６５２ａがそれぞれ設けられる場合、磁力によりユニットサポートベース６５０の側方向施工が容易になり、また、施工後の結合力が高くなるという利点がある。
【０１００】
本実施例に適用しても、システムの構造がコンパクトでありながら単純であるので、製造または購入費用を減少させることができて、普及率を向上させることができ、何よりも横になった姿勢で仕事をするなど、人体の腰に最も理想的な状態の姿勢で業務を行うことができて、使用上の利便性が従来よりも大幅に向上されることができる。
【０１０１】
図２０は本発明の第８実施例に係る複合スライドデスクシステムで椅子ユニットとユニットサポートベースの配置図であり、図２１は図２０に示されたユニットサポートベースの平面図である。
【０１０２】
これを参照すれば、椅子ユニット７１０は、ユニットサポートベース７５０上に支持されることができる。この時、ユニットサポートベース７５０上には椅子ユニット７１０とレール結合されて椅子ユニット７１０を＋Ｘ軸方向または−Ｘ軸方向に位置移動、即ち直線移動させるための一対のレール７７１が設けられる。それにより椅子ユニット７１０を＋Ｘ軸方向または−Ｘ軸方向に位置移動させることが容易である。
【０１０３】
ただ、単純に一対のレール７７１のみ適用される場合、椅子ユニット７１０の移動位置を固定させにくい。即ち、椅子ユニット７１０を所望の位置に移動させた後、該当位置に椅子ユニット７１０を固定させる必要があるが、そのために複数のボールプランジャ７７３が設けられる。ボールプランジャ７７３は、ボールとスプリングの構造によって椅子ユニット７１０の移動と停止動作が円滑になることができるようにする。
【０１０４】
本実施例の場合、ボールフランジャ７７３は、一対のレール７７１の内側だけでなく、外側にも一部が適用されることができるが、内外側に設けられるボールプランジャ７７３は、椅子ユニット７１０を＋Ｒ方向または−Ｒ軸方向に回転移動させるようにすることができる。
【０１０５】
本実施例に適用しても、システムの構造がコンパクトでありながら単純であるので、製造または購入費用を減少させることができて、普及率を向上させることができ、何よりも横になった姿勢で仕事をするなど、人体の腰に最も理想的な状態の姿勢で業務を行うことができて、使用上の利便性が従来よりも大幅に向上されることができる。
【０１０６】
図２２は本発明の第９実施例に係る複合スライドデスクシステムの斜視図である。
【０１０７】
この図面を参照すれば、本実施例に係る複合スライドデスクシステム８００も、椅子ユニット８１０、サイドテーブルユニット８２０、モニターサポートデスクユニット８３０、そして椅子ユニット８１０とモニターサポートデスクユニット８３０を支持するユニットサポートベース８５０を含むことができる。
【０１０８】
椅子ユニット８１０は、図面に示すように、座った姿勢から少し斜めに横になった姿勢が可能に動作することができる。
【０１０９】
モニターサポートデスクユニット８３０は、デュアルモニターＭを支持する構造体であって、カラム８３２、デスクプレート８３４、モニター支持部８４０を含むことができる。
【０１１０】
この時、デスクプレート８３４は、折り畳み式アーム８３５によって折られたり広がりながら椅子ユニット８１０に向かって近接することができる。そして、モニター支持部８４０もカラム８３２に対してアークラインに沿って動くことにより、デュアルモニターＭが椅子ユニット８１０に向かって近接されることができるようにする。
【０１１１】
このような構造が適用される場合には、図面のように椅子ユニット８１０を倒した後、デスクプレート８３４とデュアルモニターＭを使用者側に近接するように位置させることで、より快適な姿勢でデュアルモニターＭを視聴することができる。
【０１１２】
特に、本実施例の場合、横になった姿勢で仕事をするなど、人体の腰に最も理想的な状態の姿勢で業務を行うことができて、使用上の利便性が従来よりも大幅に向上されることができる。
【０１１３】
このように、本発明は記載された実施例に限定されるのではなく、本発明の思想及び範囲を逸脱することなく多様に修正及び変形することができることは、当該技術分野における通常の知識を有する者にとって自明である。従って、そのような修正例や変形例は、本発明の特許請求範囲に属するべきである。
【図１】
2019535344.tif 000003
【図２】
2019535344.tif 000004
【図３】
2019535344.tif 000005
【図４】
2019535344.tif 000006
【図５】
2019535344.tif 000007
【図６】
2019535344.tif 000008
【図７】
2019535344.tif 000009
【図８】
2019535344.tif 000010
【図９】
2019535344.tif 000011
【図１０】
2019535344.tif 000012
【図１１】
2019535344.tif 000013
【図１２】
2019535344.tif 000014
【図１３】
2019535344.tif 000015
【図１４】
2019535344.tif 000016
【図１５】
2019535344.tif 000017
【図１６】
2019535344.tif 000018
【図１７】
2019535344.tif 000019
【図１８】
2019535344.tif 000020
【図１９】
2019535344.tif 000021
【図２０】
2019535344.tif 000022
【図２１】
2019535344.tif 000023
【図２２】
2019535344.tif 000024
【国際調査報告】
2019535344.tif 000025
2019535344.tif 000026
2019535344.tif 000027
2019535344.tif 000028